(57)【要約】【課題】  引出し収納部に収納トレイが一体的に組み込まれた形態を有し、収納トレイ領域の有効幅を充分大きく確保することができ且つ収納に有効利用されないデッドスペースの発生を抑えたトレイ一体型引出し収納部。【解決手段】  引出し収納部に収納トレイが一体的に組み込まれたトレイ一体型引出し収納部（１３）。トレイ一体型引出し収納部を前後に滑動させるためのスライド機構の一部（２１）が、トレイ一体型引出し収納部の下側に設けられている。具体的に、トレイ一体型引出し収納部の下側には前後に延びる一対の凹部（１３ｒ，１３ｓ）が間隔を隔てて形成され、スライド機構の一部は一対の凹部に取り付けられている。【選択図】  図３
2006341003.tif 000002
【特許請求の範囲】
【請求項１】
引出し収納部に収納トレイが一体的に組み込まれたトレイ一体型引出し収納部であって、
前記トレイ一体型引出し収納部を前後に滑動させるためのスライド機構の一部が、前記トレイ一体型引出し収納部の下側に設けられていることを特徴とするトレイ一体型引出し収納部。
【請求項２】
前記トレイ一体型引出し収納部の下側には前後に延びる一対の凹部が間隔を隔てて形成され、前記スライド機構の一部は前記一対の凹部に取り付けられていることを特徴とする請求項１に記載のトレイ一体型引出し収納部。
【請求項３】
前記スライド機構の一部は、前記一対の凹部にそれぞれ取り付けられたレールを有することを特徴とする請求項２に記載のトレイ一体型引出し収納部。
【請求項４】
間隔を隔てて前後に延びる一対の仕切り壁を有し、該一対の仕切り壁の上端には互いにほぼ同じ前後位置において窪み部が設けられていることを特徴とする請求項１乃至３のいずれか１項に記載のトレイ一体型引出し収納部。
【発明の詳細な説明】
【技術分野】
【０００１】
本発明は、トレイ一体型引出し収納部に関し、さらに詳細には引出し収納部に収納トレイが一体的に組み込まれたトレイ一体型引出し収納部に関するものである。
【背景技術】
【０００２】
従来、キッチンや食器棚は、様々な物品を分類して収納するためのトレイ機能を有する引出し収納部を備えていることが多い。本出願人は、この種の引出し収納部に取り付け可能な引出し用収納トレイを提案している（たとえば特許文献１を参照）。
【０００３】
【特許文献１】特開２００４−２９８４２１号公報
【発明の開示】
【発明が解決しようとする課題】
【０００４】
特許文献１に開示された従来の引出し用収納トレイでは、引出し収納部本体を特殊な構造に構成しなくても取り付けが可能であるという利点がある。しかしながら、一般に、引出し収納部本体に別体の収納トレイを取り付ける従来技術では、引出し収納部本体の側板にレール機構を組み込むため、収納トレイの有効幅が引出し収納部本体の幅寸法に比してある程度小さくなる。また、引出し収納部本体と収納トレイとの間に発生する隙間がデッドスペースとなり、収納に有効利用されない。
【０００５】
本発明は、前述の課題に鑑みてなされたものであり、引出し収納部に収納トレイが一体的に組み込まれた形態を有し、収納トレイ領域の有効幅を充分大きく確保することができ且つ収納に有効利用されないデッドスペースの発生を抑えたトレイ一体型引出し収納部を提供することを目的とする。
【課題を解決するための手段】
【０００６】
前記課題を解決するために、本発明では、引出し収納部に収納トレイが一体的に組み込まれたトレイ一体型引出し収納部であって、
前記トレイ一体型引出し収納部を前後に滑動させるためのスライド機構の一部が、前記トレイ一体型引出し収納部の下側に設けられていることを特徴とするトレイ一体型引出し収納部を提供する。
【０００７】
本発明の好ましい態様によれば、前記トレイ一体型引出し収納部の下側には前後に延びる一対の凹部が間隔を隔てて形成され、前記スライド機構の一部は前記一対の凹部に取り付けられている。この場合、前記スライド機構の一部は、前記一対の凹部にそれぞれ取り付けられたレールを有することが好ましい。また、間隔を隔てて前後に延びる一対の仕切り壁を有し、該一対の仕切り壁の上端には互いにほぼ同じ前後位置において窪み部が設けられていることが好ましい。
【発明の効果】
【０００８】
本発明では、引出し収納部に収納トレイを一体的に組み込むことにより、トレイ一体型引出し収納部を構成している。そして、このトレイ一体型引出し収納部を前後に滑動させるためのスライド機構の一部（たとえばレールなど）を、トレイ一体型引出し収納部の下側に設けている。このように、引出し収納部に収納トレイを一体的に組み込んでいるので、互いに別体である引出し収納部本体と収納トレイとの間に隙間が発生する従来技術とは異なり、隙間に起因するデッドスペースの発生を抑え、ひいては収納効率の向上を図ることができる。
【０００９】
また、スライド機構の一部をトレイ一体型引出し収納部の下側に設けているので、引出し収納部本体の側板にレール機構を組み込む従来技術とは異なり、収納トレイ領域の有効幅が引出し収納部の幅寸法に比して僅かに小さくなるだけである。こうして、本発明では、引出し収納部に収納トレイが一体的に組み込まれた形態を有し、収納トレイ領域の有効幅を充分大きく確保することができ且つ収納に有効利用されないデッドスペースの発生を抑えたトレイ一体型引出し収納部を実現することができる。
【００１０】
なお、本発明では、前後に延びる一対の凹部をトレイ一体型引出し収納部の下側に間隔を隔てて形成し、スライド機構の一部を一対の凹部に取り付けることが好ましい。特に、トレイ一体型引出し収納部の幅方向の両側の近傍に、一対の凹部を形成することが好ましい。この構成により、収納トレイ領域の有効深さをほぼ全体に亘って大きく確保しつつ、トレイ一体型引出し収納部の引出し動作および押戻し動作を安定的に且つ円滑に行うことができる。
【００１１】
また、本発明では、スライド機構の一部としてのレールを一対の凹部にそれぞれ取り付けることにより、一対の凹部の形成による収納領域のロスを抑えつつ、簡素な構成に基づいてスライド機構を実現することができる。
【００１２】
また、本発明では、前後に延びる一対の仕切り壁を間隔を隔てて設け、この一対の仕切り壁の上端には互いにほぼ同じ前後位置において窪み部を設けることが好ましい。この構成では、一対の仕切り壁の窪み部に亘って、たとえば菜箸やカトラリーや調理道具など（以下、単に「菜箸など」という）をトレイの底面から浮かせた状態で横方向に安定的に収納することができる。
【００１３】
また、この場合、菜箸などをトレイの底面から浮かせた状態で収納するので、菜箸などをトレイの底面に接するように載置する従来技術とは異なり、菜箸などを把持して取り出す動作を確実に且つ容易に行うことができる。この場合、窪み部をできるだけ前側の位置に設けることにより、トレイ一体型引出し収納部を僅かに引き出すだけで、菜箸などを把持して取り出したり使用後の菜箸などを窪み部に亘って横方向に載置したりする動作がさらに迅速に且つ容易になる。
【発明を実施するための最良の形態】
【００１４】
本発明の実施形態を、添付図面に基づいて説明する。図１は、本発明の実施形態にかかるトレイ一体型引出し収納部を備えたキッチンの構成を概略的に示す斜視図である。図２は、図１に対応する斜視図であって、トレイ一体型引出し収納部が引き出された状態を示す図である。本実施形態では、システムキッチンに対して本発明のトレイ一体型引出し収納部を適用している。
【００１５】
図１を参照すると、本実施形態のシステムキッチンＳＫは、床Ｆの上に載置されたベースキャビネットＢＣを備えている。ベースキャビネットＢＣの上部には、システムキッチンＳＫに向かって左側から加熱調理部（ガスコンロ、ＩＨコンロなど）１と、一対のカウンタ２ａおよび２ｂとが設けられ、この一対のカウンタ２ａと２ｂとの間にはシンク３が設けられている。また、シンク３に隣接して、たとえば湯水混合型の水栓４が設けられている。
【００１６】
ベースキャビネットＢＣは、４つのキャビネット５〜８を備えている。すなわち、加熱調理部１の下方にはキャビネット５が、加熱調理部１とシンク３との間のカウンタ２ａの下方にはキャビネット６が、シンク３の下方にはシンクキャビネット７が、シンク３よりも端部側のカウンタ２ｂの下方にはキャビネット８がそれぞれ設けられている。キャビネット５は、加熱調理部１の直下に設けられた引出し収納部１１と、その下方に設けられた下段引出し収納部１２とから構成されている。
【００１７】
キャビネット６は、カウンタ２ａの直下に設けられた上段引出し収納部１３と、その下方に設けられた中段引出し収納部１４と、その下方に設けられた下段引出し収納部１５とから構成されている。シンクキャビネット７は、シンク３の直下に設けられた引出し収納部１６と、その下方に設けられた下段引出し収納部１７とから構成されている。キャビネット８は、カウンタ２ｂの直下に設けられた引出し収納部１８と、その下方に設けられた下段引出し収納部１９とから構成されている。
【００１８】
本実施形態では、キャビネット６の上段引出し収納部１３が、本発明のトレイ一体型引出し収納部の一例として構成されている。図３は、本実施形態にかかるトレイ一体型引出し収納部の構成を概略的に示す斜視図である。図４は、図３に示すトレイ一体型引出し収納部の収納状態を示す上面図である。図５（ａ）は図４の線Ａ−Ａに沿った断面図であり、図５（ｂ）は図４の線Ｂ−Ｂに沿った断面図であり、図５（ｃ）は図４の線Ｃ−Ｃに沿った断面図である。
【００１９】
図３〜図５を参照すると、トレイ一体型引出し収納部１３は、引出し前板１３ａと、一対の側板１３ｂおよび１３ｃと、底板１３ｄと、背板１３ｅと、側板１３ｂおよび１３ｃからそれぞれ平行に間隔を隔てた一対の固定仕切り壁１３ｆおよび１３ｇと、引出し前板１３ａから平行に間隔を隔てた一対の仕切り壁１３ｈおよび１３ｊとから構成されている。ここで、仕切り壁１３ｈおよび１３ｊは、固定された仕切り壁であってもよいし、固定仕切り壁１３ｆおよび１３ｇに形成された縦溝を利用して前後に移動可能な可動仕切り壁であってもよい。
【００２０】
引出し前板１３ａの外側面（前面）には、把手１３ｋが取り付けられている。側板１３ｂおよび１３ｃと固定仕切り壁１３ｆおよび１３ｇとの間には、これらの仕切り壁に形成された縦溝を利用して前後に移動可能な可動仕切り壁１３ｍおよび１３ｎがそれぞれ設けられている。また、仕切り壁１３ｆと１３ｇと１３ｊとにより規定される収納領域には、背板１３ｅおよび仕切り壁１３ｊに形成された縦溝を利用して横方向に移動可能な一対の可動仕切り壁１３ｐおよび１３ｑが固定仕切り壁１３ｆおよび１３ｇから平行に間隔を隔てて設けられている。
【００２１】
本実施形態では、固定仕切り壁１３ｆおよび１３ｇだけが側板１３ｂ，１３ｃと同じ高さ寸法を有し、その他の仕切り壁は側板１３ｂ，１３ｃよりも小さい高さ寸法を有する。ただし、間隔を隔てて前後に延びる一対の固定仕切り壁１３ｆおよび１３ｇの最も前側の上端には、互いにほぼ同じ前後位置において互いにほぼ同じ高さ位置を有する窪み部１３ｆａおよび１３ｇａが設けられている。図４に示すように、一対の固定仕切り壁１３ｆおよび１３ｇの窪み部１３ｆａおよび１３ｇａを利用して、たとえば菜箸３０などがトレイの底面（すなわち底板）１３ｄから浮かせた状態で横方向に収納される。
【００２２】
トレイ一体型引出し収納部１３の下側には、図３に示すように、前後に延びる一対の凹部１３ｒおよび１３ｓが間隔を隔てて形成されている。具体的には、図５（ｃ）に示すように、側板１３ｂと固定仕切り壁１３ｆとの間の右側収納領域および側板１３ｃと固定仕切り壁１３ｇとの間の左側収納領域を中央の収納領域よりも上げ底状態に構成することにより、右側収納領域および左側収納領域の下方に、すなわちトレイ一体型引出し収納部１３の幅方向の両側に凹部１３ｒおよび１３ｓが形成されている。
【００２３】
一対の凹部１３ｒおよび１３ｓには、下方に向かって開口を有するＣ字状の断面形状を有するレール２１ａおよび２１ｂがそれぞれ取り付けられている。そして、トレイ一体型引出し収納部１３の下方の基板３１には、レール２１ａおよび２１ｂの内側水平面に当接するように前後に間隔を隔てて並んだ一連の遊動ローラー２２ａおよび２２ｂがそれぞれ取り付けられている。こうして、基板３１に取り付けられた一連の遊動ローラー２２ａおよび２２ｂと、トレイ一体型引出し収納部１３の一対の凹部１３ｒおよび１３ｓに取り付けられたレール２１ａおよび２１ｂとは、トレイ一体型引出し収納部１３を前後に滑動させるためのスライド機構を構成している。
【００２４】
以上のように、本実施形態では、引出し収納部に収納トレイを一体的に組み込む方式によりトレイ一体型引出し収納部１３を構成し、スライド機構の一部としてのレール２１ａおよび２１ｂをトレイ一体型引出し収納部１３の下側に設けている。このように、引出し収納部に収納トレイを一体的に組み込んでいるので、互いに別体である引出し収納部本体と収納トレイとの間に隙間が発生する従来技術とは異なり、隙間に起因するデッドスペースの発生を抑え、ひいては収納効率の向上を図ることができる。
【００２５】
また、スライド機構の一部としてのレール２１ａおよび２１ｂをトレイ一体型引出し収納部１３の下側に設けているので、引出し収納部本体の側板にレール機構を組み込む従来技術とは異なり、収納トレイ領域の有効幅が引出し収納部の幅寸法に比して僅かに小さくなるだけである。その結果、本実施形態のトレイ一体型引出し収納部１３では、引出し収納部に収納トレイを一体的に組み込む方式を採用して、収納トレイ領域の有効幅を充分大きく確保することができ且つ収納に有効利用されないデッドスペースの発生を抑えることができる。
【００２６】
また、本実施形態では、前後に延びる一対の凹部１３ｒ，１３ｓをトレイ一体型引出し収納部１３の幅方向の両側に形成し、スライド機構の一部としてのレール２１ａおよび２１ｂを一対の凹部１３ｒ，１３ｓに取り付けている。その結果、側板１３ｂと固定仕切り壁１３ｆとの間の右側収納領域および側板１３ｃと固定仕切り壁１３ｇとの間の左側収納領域だけが僅かに上げ底状態になるが、収納トレイ領域の有効深さをほぼ全体に亘って大きく確保しつつ、トレイ一体型引出し収納部１３の引出し動作および押戻し動作を安定的に且つ円滑に行うことができる。
【００２７】
また、本実施形態では、スライド機構の一部としてのレール２１ａ，２１ｂを一対の凹部１３ｒ，１３ｓにそれぞれ直接的に取り付けることにより、すなわちスライド機構として下引きレール機構を作用することにより、一対の凹部１３ｒ，１３ｓの形成による収納領域のロスを抑えつつ、簡素な構成に基づいてスライド機構を実現することができる。
【００２８】
また、本実施形態では、間隔を隔てて前後に延びる一対の固定仕切り壁１３ｆおよび１３ｇの最も前側の上端に、互いにほぼ同じ高さ位置を有する窪み部１３ｆａおよび１３ｇａを設けている。その結果、一対の固定仕切り壁１３ｆ，１３ｇの窪み部１３ｆａと１３ｇａとに亘って、たとえば菜箸３０などをトレイの底面１３ｄから浮かせた状態で横方向に安定的に収納することができる。
【００２９】
また、本実施形態では、窪み部１３ｆａ，１３ｇａを利用して菜箸３０などをトレイの底面１３ｄから浮かせた状態で収納するので、菜箸３０などをトレイの底面１３ｄに接するように載置する従来技術とは異なり、菜箸３０などを把持して取り出す動作を確実に且つ容易に行うことができる。特に、本実施形態では、窪み部１３ｆａ，１３ｇａが最も前側の位置に設けられているので、トレイ一体型引出し収納部１３を僅かに引き出すだけで、菜箸３０などを把持して取り出したり使用後の菜箸３０などを窪み部１３ｆａと１３ｇａとに亘って横方向に載置したりする動作が迅速に且つ容易になる。ただし、窪み部１３ｆａ，１３ｇａの前後位置については様々な変形例が可能である。
【００３０】
なお、上述の実施形態では、基板３１に取り付けられた一連の遊動ローラー２２ａおよび２２ｂと、トレイ一体型引出し収納部１３の一対の凹部１３ｒおよび１３ｓに取り付けられたレール２１ａおよび２１ｂとにより、トレイ一体型引出し収納部１３を前後に滑動させるためのスライド機構を構成している。しかしながら、これに限定されることなく、トレイ一体型引出し収納部を前後に滑動させるためのスライド機構の構成、スライド機構の取付け位置や形態などについては本発明の範囲内において様々な変形例が可能である。
【００３１】
また、上述の実施形態では、システムキッチンに対して本発明のトレイ一体型引出し収納部を適用しているが、キッチンに限定されることなく、たとえば食器棚や他の適当な家具の引出し収納部にも同様に本発明を適用することができる。
【図面の簡単な説明】
【００３２】
【図１】本発明の実施形態にかかるトレイ一体型引出し収納部を備えたキッチンの構成を概略的に示す斜視図である。
【図２】図１に対応する斜視図であって、トレイ一体型引出し収納部が引き出された状態を示す図である。
【図３】本実施形態にかかるトレイ一体型引出し収納部の構成を概略的に示す斜視図である。
【図４】図３に示すトレイ一体型引出し収納部の収納状態を示す上面図である。
【図５】（ａ）は図４の線Ａ−Ａに沿った断面図であり、（ｂ）は図４の線Ｂ−Ｂに沿った断面図であり、（ｃ）は図４の線Ｃ−Ｃに沿った断面図である。
【符号の説明】
【００３３】
ＳＫ  システムキッチン
ＢＣ  ベースキャビネット
１  加熱調理部
２  カウンタ
３  シンク
４  水栓
５〜８  各キャビネット
１３  トレイ一体型引出し収納部
１３ａ  引出し前板
１３ｂ，１３ｃ  側板
１３ｄ  底板
１３ｅ  背板
１３ｆ〜１３ｑ  仕切り壁
１３ｆａ，１３ｇａ  窪み部
１３ｒ、１３ｓ  凹部
２１  レール
２２  遊動ローラー
【図１】
2006341003.tif 000003
【図２】
2006341003.tif 000004
【図３】
2006341003.tif 000005
【図４】
2006341003.tif 000006
【図５】
2006341003.tif 000007